(57)【要約】【課題】投稿情報の質の向上を通じて投稿情報へのアクセスを向上させ、延いては広告情報の稼働率を向上させる。【解決手段】ＳＮＳシステムの管理サーバ装置は、投稿表示指示部と、広告表示指示部と、評価ポイント受付部と、投稿別評価ポイント算出部と、利用者別評価ポイント算出部と、還元ポイント算出部と、総還元ポイント算出部と、換金レート算出部と、換金レート表示指示部とを備える。還元ポイント算出部は、利用者別評価ポイントに基づいて、還元原資と換金可能な還元ポイントを利用者ごとに算出する。総還元ポイント算出部は、還元原資の還元対象である複数の利用者にそれぞれ付与される複数の還元ポイントを集計した総還元ポイントを算出する。換金レート算出部は、還元原資金額を総還元ポイントで除算した換金レートを算出する。換金レート表示指示部は、換金レートの表示をユーザ端末装置に指示する。【選択図】図７
2020187448.tif 000002
【特許請求の範囲】
【請求項１】
ＳＮＳシステムにおいて、利用者によって操作可能なユーザ端末装置と、コンピュータネットワークを介してデータをやり取り可能に構成された管理サーバ装置であって、
前記ユーザ端末装置を通じて前記利用者から投稿された投稿情報を受け付ける投稿受付部と、
複数の前記利用者から投稿された複数の前記投稿情報の表示を、前記ユーザ端末装置に指示する投稿表示指示部と、
前記投稿情報の表示に併せて前記利用者に報知する広告情報の表示を、前記ユーザ端末装置に指示する広告表示指示部と、
前記ユーザ端末装置に表示される前記投稿情報ごとに、当該投稿情報を作成した利用者とは異なる他の利用者による評価を示す評価ポイントを、前記ユーザ端末装置を通じて受け付ける評価ポイント受付部と、
複数の前記評価ポイントを前記投稿情報ごとに集計した投稿別評価ポイントを算出する投稿別評価ポイント算出部と、
前記ユーザ端末装置に表示される前記投稿情報ごとに前記投稿別評価ポイントの表示を前記ユーザ端末装置に指示する投稿別評価ポイント表示指示部と、
複数の前記投稿別評価ポイントを前記利用者ごとに集計した利用者別評価ポイントを算出する利用者別評価ポイント算出部と、
前記広告情報を表示する対価である広告料から積み立てられるとともに前記利用者に還元される還元原資の金額である還元原資金額を管理する還元原資管理部と、
前記利用者別評価ポイントに基づいて、前記還元原資と換金可能な還元ポイントを前記利用者ごとに算出する還元ポイント算出部と、
前記還元原資の還元対象である複数の前記利用者にそれぞれ付与される複数の前記還元ポイントを集計した総還元ポイントを算出する総還元ポイント算出部と、
前記還元原資金額を前記総還元ポイントで除算した換金レートを算出する換金レート算出部と、
前記換金レートの表示を前記ユーザ端末装置に指示する換金レート表示指示部と
を備える管理サーバ装置。
【請求項２】
請求項１に記載の管理サーバ装置であって、
前記換金レート表示指示部は、前記ユーザ端末装置を操作する利用者の前記利用者別評価ポイントおよび前記還元ポイントの少なくとも一方の表示とともに前記換金レートの表示を当該ユーザ端末装置に指示する、管理サーバ装置。
【請求項３】
請求項１または請求項２に記載の管理サーバ装置であって、
前記換金レート表示指示部は、前記総評価ポイントおよび前記還元原資金額の少なくとも一方が変更された場合、前記ユーザ端末装置に表示されている前記換金レートの更新を前記ユーザ端末装置に指示する、管理サーバ装置。
【請求項４】
請求項１から請求項３までのいずれか一項に記載の管理サーバ装置であって、
前記還元ポイント算出部は、前記利用者別評価ポイントに対して、前記利用者別評価ポイントとは異なる他の評価ポイントを加算するとともに、前記還元原資と既に換金されている消費ポイントを減算することによって、前記還元ポイントを算出する、管理サーバ装置。
【請求項５】
請求項１から請求項４までのいずれか一項に記載の管理サーバ装置であって、
前記換金レート算出部は、前記換金レートの上限値である上限レートを設定し、前記還元原資金額を前記総還元ポイントで除算した値が前記上限レートを超える場合、前記上限レートを前記換金レートとして算出する、管理サーバ装置。
【請求項６】
請求項１から請求項５までのいずれか一項に記載の管理サーバ装置であって、
複数の地域社会のいずれか１つに関連付けて前記利用者を管理する利用者管理部を更に備え、
前記還元原資管理部は、前記地域社会ごとに前記還元原資金額を管理し、
前記総還元ポイント算出部は、前記地域社会ごとに前記総還元ポイントを算出し、
前記換金レート算出部は、前記地域社会ごとに前記換金レートを算出し、
前記換金レート表示指示部は、前記ユーザ端末装置を操作する前記利用者に関連付けられた前記地域社会の前記換金レートの表示を当該ユーザ端末装置に指示する、管理サーバ装置。
【請求項７】
請求項６に記載の管理サーバ装置であって、
前記評価ポイント受付部は、前記ユーザ端末装置に表示される前記投稿情報ごとに、共通の地域社会に関連付けられた利用者のうち当該投稿情報を作成した利用者とは異なる他の利用者による評価を示す前記評価ポイントを、前記ユーザ端末装置を通じて受け付けるとともに、前記ユーザ端末装置に表示される前記投稿情報ごとに、当該投稿情報を作成した利用者に関連付けられた第１の地域社会とは異なる第２の地域社会に関連付けられた他の利用者による評価を示す前記評価ポイントを、前記ユーザ端末装置を通じて受け付け、
前記還元原資管理部は、前記第２の地域社会に関連付けられた他の利用者による前記評価ポイントを受け付けた場合、前記他の利用者による前記評価ポイントに前記第２の地域社会の前記換金レートを乗算した評価金額を、前記第２の地域社会の前記還元原資金額から前記第１の地域社会の前記還元原資金額へと振り替える、管理サーバ装置。
【発明の詳細な説明】
【技術分野】
【０００１】
本明細書は、ＳＮＳシステムにおける管理サーバ装置に関する技術を開示する。
【背景技術】
【０００２】
ＳＮＳ（ソーシャル・ネットワーキング・サービス）を提供するＳＮＳシステムにおいて、管理サーバ装置は、利用者によって操作可能なユーザ端末装置と、コンピュータネットワークを介してデータをやり取り可能に構成されている。管理サーバ装置は、ユーザ端末装置を通じて利用者から投稿された投稿情報を受け付けるとともに、複数の利用者から投稿された複数の投稿情報の表示をユーザ端末装置に指示する。特許文献１には、ＳＮＳシステムにおいて投稿情報の表示に併せて報知される広告情報の広告実績に基づいて利用者に報酬を付与する技術について開示されている。
【先行技術文献】
【特許文献】
【０００３】
【特許文献１】特許第６２８３１３８号公報
【発明の概要】
【発明が解決しようとする課題】
【０００４】
ＳＮＳシステムにおいては、投稿情報の質の向上を通じて投稿情報へのアクセスを向上させ、延いては広告情報の稼働率を向上させることについて十分な検討がなされていなかった。
【課題を解決するための手段】
【０００５】
本明細書に開示する技術は、以下の形態として実現できる。
【０００６】
（１）本明細書に開示する一形態における管理サーバ装置は、ＳＮＳシステムにおいて、利用者によって操作可能なユーザ端末装置と、コンピュータネットワークを介してデータをやり取り可能に構成されている。この管理サーバ装置は、前記ユーザ端末装置を通じて前記利用者から投稿された投稿情報を受け付ける投稿受付部と；複数の前記利用者から投稿された複数の前記投稿情報の表示を、前記ユーザ端末装置に指示する投稿表示指示部と；前記投稿情報の表示に併せて前記利用者に報知する広告情報の表示を、前記ユーザ端末装置に指示する広告表示指示部と；前記ユーザ端末装置に表示される前記投稿情報ごとに、当該投稿情報を作成した利用者とは異なる他の利用者による評価を示す評価ポイントを、前記ユーザ端末装置を通じて受け付ける評価ポイント受付部と；複数の前記評価ポイントを前記投稿情報ごとに集計した投稿別評価ポイントを算出する投稿別評価ポイント算出部と；前記ユーザ端末装置に表示される前記投稿情報ごとに前記投稿別評価ポイントの表示を前記ユーザ端末装置に指示する投稿別評価ポイント表示指示部と；複数の前記投稿別評価ポイントを前記利用者ごとに集計した利用者別評価ポイントを算出する利用者別評価ポイント算出部と；前記広告情報を表示する対価である広告料から積み立てられるとともに前記利用者に還元される還元原資の金額である還元原資金額を管理する還元原資管理部と；前記利用者別評価ポイントに基づいて、前記還元原資と換金可能な還元ポイントを前記利用者ごとに算出する還元ポイント算出部と；前記還元原資の還元対象である複数の前記利用者にそれぞれ付与される複数の前記還元ポイントを集計した総還元ポイントを算出する総還元ポイント算出部と；前記還元原資金額を前記総還元ポイントで除算した換金レートを算出する換金レート算出部と；前記換金レートの表示を前記ユーザ端末装置に指示する換金レート表示指示部とを備える。
【０００７】
この形態の管理サーバ装置によれば、還元原資金額および総還元ポイントに応じた換金レートによって評価ポイントの増加に伴う還元原資の不足を回避しつつ、その換金レートをユーザ端末装置に表示させるため、利用者に対して還元ポイントを貯蓄することへの期待値を向上させることができ、還元ポイントと還元原資との換金も抑制できる。その上で、投稿情報に対する評価ポイントの増加は還元ポイントの増加に繋がるため、利用者にとって投稿情報の質を向上させる動機付けとなり得る。その結果、投稿情報の質の向上を通じて投稿情報へのアクセスを向上させ、延いては広告情報の稼働率（表示頻度）を向上させることができる。
【０００８】
（２）上記形態の管理サーバ装置において、前記換金レート表示指示部は、前記ユーザ端末装置を操作する利用者の前記利用者別評価ポイントおよび前記還元ポイントの少なくとも一方の表示とともに前記換金レートの表示を当該ユーザ端末装置に指示してもよい。この形態の管理サーバ装置によれば、評価ポイントに基づいて還元原資から換金される金額を利用者に把握させることができる。
【０００９】
（３）上記形態の管理サーバ装置において、前記換金レート表示指示部は、前記総評価ポイントおよび前記還元原資金額の少なくとも一方が変更された場合、前記ユーザ端末装置に表示されている前記換金レートの更新を前記ユーザ端末装置に指示してもよい。この形態の管理サーバ装置によれば、換金レートの変動を利用者に把握させることができる。
【００１０】
（４）上記形態の管理サーバ装置において、前記還元ポイント算出部は、前記利用者別評価ポイントに対して、前記利用者別評価ポイントとは異なる他の評価ポイントを加算するとともに、前記還元原資と既に換金されている消費ポイントを減算することによって、前記還元ポイントを算出してもよい。この形態の管理サーバ装置によれば、他の評価ポイントおよび消費ポイントを加味した還元ポイントを算出できる。
【００１１】
（５）上記形態の管理サーバ装置において、前記換金レート算出部は、前記換金レートの上限値である上限レートを設定し、前記還元原資金額を前記総還元ポイントで除算した値が前記上限レートを超える場合、前記上限レートを前記換金レートとして算出してもよい。この形態の管理サーバ装置によれば、還元原資金額に対して総還元ポイントが過剰に少ない場合に、還元原資から換金される金額が過剰に高額になることを防止できる。
【００１２】
（６）上記形態の管理サーバ装置において、複数の地域社会のいずれか１つに関連付けて前記利用者を管理する利用者管理部を更に備え；前記還元原資管理部は、前記地域社会ごとに前記還元原資金額を管理し；前記総還元ポイント算出部は、前記地域社会ごとに前記総還元ポイントを算出し；前記換金レート算出部は、前記地域社会ごとに前記換金レートを算出し；前記換金レート表示指示部は、前記ユーザ端末装置を操作する前記利用者に関連付けられた前記地域社会の前記換金レートの表示を当該ユーザ端末装置に指示してもよい。この形態の管理サーバ装置によれば、地域社会ごとに、投稿情報の質の向上を通じて投稿情報へのアクセスを向上させ、延いては広告情報の稼働率を向上させることができる。
【００１３】
（７）上記形態の管理サーバ装置において、前記評価ポイント受付部は、前記ユーザ端末装置に表示される前記投稿情報ごとに、共通の地域社会に関連付けられた利用者のうち当該投稿情報を作成した利用者とは異なる他の利用者による評価を示す前記評価ポイントを、前記ユーザ端末装置を通じて受け付けるとともに、前記ユーザ端末装置に表示される前記投稿情報ごとに、当該投稿情報を作成した利用者に関連付けられた第１の地域社会とは異なる第２の地域社会に関連付けられた他の利用者による評価を示す前記評価ポイントを、前記ユーザ端末装置を通じて受け付けてもよく；前記還元原資管理部は、前記第２の地域社会に関連付けられた他の利用者による前記評価ポイントを受け付けた場合、前記他の利用者による前記評価ポイントに前記第２の地域社会の前記換金レートを乗算した評価金額を、前記第２の地域社会の前記還元原資金額から前記第１の地域社会の前記還元原資金額へと振り替えてもよい。この形態の管理サーバ装置によれば、地域社会ごとに還元原資を管理しつつ、異なる地域社会の間における評価ポイントのやり取りを実現できる。
【００１４】
本明細書に開示する技術は、管理サーバ装置とは異なる種々の形態で実現できる。本明細書に開示する技術は、例えば、ユーザ端末装置、ＳＮＳシステム、管理サーバ装置の制御方法、管理サーバ装置のコンピュータプログラム、ユーザ端末装置の制御方法、ユーザ端末装置のコンピュータプログラム、ならびに、ＳＮＳ管理方法などの形態で実現できる。
【図面の簡単な説明】
【００１５】
【図１】ＳＮＳシステムを示す説明図である。
【図２】ユーザ端末装置の詳細構成を示す説明図である。
【図３】コミュニティ選択画面の一例を示す説明図である。
【図４】利用者登録画面の一例を示す説明図である。
【図５】投稿表示画面の一例を示す説明図である。
【図６】ステータス画面の一例を示す説明図である。
【図７】管理サーバ装置の詳細構成を示す説明図である。
【図８】ＳＮＳシステムの動作を示す説明図である。
【図９】ＳＮＳシステムの動作を示す説明図である。
【図１０】管理サーバ装置が実行するステータス更新処理を示すフローチャートである。
【図１１】ＳＮＳシステムの動作を示す説明図である。
【発明を実施するための形態】
【００１６】
Ａ．第１実施形態
図１は、ＳＮＳシステム１０を示す説明図である。ＳＮＳシステム１０は、ＳＮＳ（ソーシャル・ネットワーキング・サービス）を提供するシステムである。ＳＮＳシステム１０によるＳＮＳは、氏神（神社）を通じたコミュニティ（地域社会）を単位に繋がる複数の利用者の間における情報交流を実現するサービスである。ＳＮＳシステム１０における利用者は、所属するコミュニティに情報を投稿するとともに、他の利用者による投稿を評価する。ＳＮＳシステム１０では、広告提供者からコミュニティごとに広告を受け付け、投稿情報の提供に併せて広告情報を利用者に報知する。ＳＮＳシステム１０に広告情報を掲載する対価である広告料の一部（例えば、広告料の１０％）は、利用者に還元される還元原資として積み立てられ、利用者は、投稿情報に対する評価に応じて還元原資から還元を受けることができる。
【００１７】
ＳＮＳシステム１０は、複数のユーザ端末装置１００と、管理サーバ装置２００とを備える。ＳＮＳシステム１０は、更に、管理端末装置３００を備える。
【００１８】
ＳＮＳシステム１０のユーザ端末装置１００は、利用者によって操作可能に構成されたコンピュータである。ユーザ端末装置１００は、利用者がＳＮＳを利用可能なユーザインタフェースを備えるコンピュータであればよい。例えば、ユーザ端末装置１００は、スマートフォンであってもよいし、タブレット端末であってもよいし、パーソナルコンピュータであってもよい。
【００１９】
ＳＮＳシステム１０の管理サーバ装置２００は、ユーザ端末装置１００とコンピュータネットワーク８００を介してデータをやり取り可能に構成されたコンピュータである。管理サーバ装置２００は、ユーザ端末装置１００を通じて利用者にＳＮＳを提供可能なサーバ機能を備えるコンピュータであればよい。本実施形態では、管理サーバ装置２００は、クラウドコンピューティングによってサーバ機能を実現するクラウドサーバである。コンピュータネットワーク８００は、インターネット、携帯電話通信網、ローカルエリアネットワークおよび無線ローカルエリアネットワークを含む。
【００２０】
ＳＮＳシステム１０の管理端末装置３００は、ＳＮＳシステム１０の管理者によって操作可能に構成されたコンピュータである。管理端末装置３００は、管理者が管理サーバ装置２００との間で情報を入出力可能なユーザインタフェースを備えるコンピュータであればよい。例えば、管理端末装置３００は、スマートフォンであってもよいし、タブレット端末であってもよいし、パーソナルコンピュータであってもよい。
【００２１】
図２は、ユーザ端末装置１００の詳細構成を示す説明図である。図２のユーザ端末装置１００は、スマートフォンとしての一例であり、タッチパネル１１０と、ネットワーク通信部１２０とを備える。タッチパネル１１０は、利用者による操作入力を感知するとともに画像を表示する。ネットワーク通信部１２０は、コンピュータネットワーク８００に接続可能に構成されている。ネットワーク通信部１２０は、携帯電話通信網を通じてコンピュータネットワーク８００に接続する機能と、無線ローカルエリアネットワークを通じてコンピュータネットワーク８００に接続する機能とを有する。
【００２２】
ユーザ端末装置１００は、更に、利用者にＳＮＳを提供するＳＮＳ機能として、端末入力部１５４と、端末表示部１５６と、端末送受信部１５８とを備える。端末入力部１５４は、タッチパネル１１０に対する利用者の操作入力に基づいて利用者から情報を受け付ける。端末表示部１５６は、利用者に対して出力する情報を示す画像の表示をタッチパネル１１０に指示する。端末送受信部１５８は、端末入力部１５４によって処理される入力情報を、ネットワーク通信部１２０を通じて管理サーバ装置２００に送信するとともに、端末表示部１５６によって処理される出力情報を、ネットワーク通信部１２０を通じて管理サーバ装置２００から受信する。
【００２３】
ユーザ端末装置１００のＳＮＳ機能は、アプリケーションソフトウェアであるＳＮＳアプリケーション１５０に基づいてソフトウェア的に実現される。ＳＮＳ機能に関する構成の少なくとも一部は、回路構成に基づいてハードウェア的に実現されてもよい。
【００２４】
図３は、コミュニティ選択画面５１０の一例を示す説明図である。コミュニティ選択画面５１０は、利用者がＳＮＳシステム１０への登録を希望する際に、所望のコミュニティ（神社）の選択を利用者から受け付ける画面である。コミュニティ選択画面５１０は、ＳＮＳアプリケーション１５０の機能に基づいてタッチパネル１１０に表示されるグラフィカルユーザインタフェース（ＧＵＩ）である。コミュニティ選択画面５１０は、移行ボタン５１１と、検索ボックス５１２と、地図表示部５１４と、コミュニティ詳細表示部５１６とを備える。
【００２５】
コミュニティ選択画面５１０の移行ボタン５１１は、コミュニティ選択画面５１０より１つ手前の階層に位置する上位階層画面に移行する操作入力を利用者から受け付けるボタンである。移行ボタン５１１がタッチパネル１１０における利用者のタップ操作を受け付けた場合、ユーザ端末装置１００は、タッチパネル１１０に表示する画面をコミュニティ選択画面５１０から、その上位階層画面へと切り替える。
【００２６】
コミュニティ選択画面５１０の検索ボックス５１２は、コミュニティを検索する場所を指定する郵便番号または住所の入力を利用者から受け付けるボックスである。検索ボックス５１２が利用者による郵便番号または住所の入力を受け付けた場合、ユーザ端末装置１００は、検索ボックス５１２に入力された郵便番号または住所に対応する場所の地図を地図表示部５１４に表示する。
【００２７】
コミュニティ選択画面５１０の地図表示部５１４は、コミュニティの位置を示す地図を表示するとともに、その地図に対する操作入力を利用者から受け付ける。地図表示部５１４がタッチパネル１１０における利用者のスワイプ操作を受け付けた場合、ユーザ端末装置１００は、地図表示部５１４に表示される地図の領域をスワイプ操作方向へ移動させる。地図表示部５１４がタッチパネル１１０における利用者のピンチアウト操作を受け付けた場合、ユーザ端末装置１００は、地図表示部５１４に表示される地図を拡大する。地図表示部５１４がタッチパネル１１０における利用者のピンチイン操作を受け付けた場合、ユーザ端末装置１００は、地図表示部５１４に表示される地図を縮小する。
【００２８】
地図表示部５１４は、現在地ボタン５１４ａと、検索ボタン５１４ｂとを有する。現在地ボタン５１４ａがタッチパネル１１０における利用者のタップ操作を受け付けた場合、ユーザ端末装置１００は、ユーザ端末装置１００が位置する場所の地図を地図表示部５１４に表示する。検索ボタン５１４ｂがタッチパネル１１０における利用者のタップ操作を受け付けた場合、ユーザ端末装置１００は、地図表示部５１４に表示されている地図上の領域に位置するコミュニティ（神社）を検索する。
【００２９】
地図表示部５１４は、候補ピン５１４ｃと、選択ピン５１４ｃａとを表示可能である。候補ピン５１４ｃは、地図表示部５１４に表示されている地図上の領域から検索されたコミュニティ（神社）の位置を示すマークである。選択ピン５１４ｃａは、地図表示部５１４に表示されている地図上の領域から検索されたコミュニティのうち、コミュニティ詳細表示部５１６に詳細情報が表示されているコミュニティの位置を示すマークである。候補ピン５１４ｃがタッチパネル１１０における利用者のタップ操作を受け付けた場合、そのタップ操作を受け付けた候補ピン５１４ｃは、選択ピン５１４ｃａに切り替わり、そのタップ操作前の選択ピン５１４ｃａは、候補ピン５１４ｃに切り替わる。地図表示部５１４に表示されている地図上の領域から検索されたコミュニティが１つである場合、候補ピン５１４ｃは表示されずに、選択ピン５１４ｃａのみが表示される。
【００３０】
コミュニティ選択画面５１０のコミュニティ詳細表示部５１６は、選択ピン５１４ｃａによって示されているコミュニティ（神社）の詳細情報を表示する。コミュニティ詳細表示部５１６は、詳細情報として、例えば、コミュニティの名称（神社名）、住所、ならびに、そのコミュニティに所属している利用者総数などを表示する。コミュニティ詳細表示部５１６は、選択確定ボタン５１６ｄを有する。選択確定ボタン５１６ｄがタッチパネル１１０における利用者のタップ操作を受け付けた場合、ユーザ端末装置１００は、選択ピン５１４ｃａによって示されているコミュニティ（神社）を、利用者が所属を希望するコミュニティの選択として受け付ける。
【００３１】
図４は、利用者登録画面５２０の一例を示す説明図である。利用者登録画面５２０は、利用者がＳＮＳシステム１０への登録を希望する際に、コミュニティ選択画面５１０による所望のコミュニティの選択に続いて、ＳＮＳシステム１０に登録すべき利用者の登録情報の入力を利用者から受け付ける画面である。利用者登録画面５２０は、ＳＮＳアプリケーション１５０の機能に基づいてタッチパネル１１０に表示されるグラフィカルユーザインタフェースである。利用者登録画面５２０は、移行ボタン５２１と、コミュニティ表示部５２２と、個人情報入力表示部５２４ａ〜５２４ｄと、コメント入力表示部５２５と、同意受付部５２６と、登録確定ボタン５２８とを有する。
【００３２】
利用者登録画面５２０の移行ボタン５２１は、利用者登録画面５２０より１つ手前の階層に位置するコミュニティ選択画面５１０に移行する操作入力を利用者から受け付けるボタンである。移行ボタン５２１がタッチパネル１１０における利用者のタップ操作を受け付けた場合、ユーザ端末装置１００は、タッチパネル１１０に表示する画面を利用者登録画面５２０からコミュニティ選択画面５１０へと切り替える。
【００３３】
利用者登録画面５２０のコミュニティ表示部５２２は、利用者が所属することになるコミュニティ（神社）を表示する。コミュニティ表示部５２２に表示されるコミュニティは、コミュニティ選択画面５１０において選択されたコミュニティである。
【００３４】
利用者登録画面５２０の個人情報入力表示部５２４ａ〜５２４ｄは、利用者に関する個人情報の入力を利用者から受け付けるとともに、その入力済みの個人情報を表示する。個人情報入力表示部５２４ａは、利用者の名前および画像の入力を利用者から受け付ける。個人情報入力表示部５２４ｂは、利用者の生年月日の入力を利用者から受け付ける。個人情報入力表示部５２４ｃは、利用者の性別の入力を利用者から受け付ける。個人情報入力表示部５２４ｄは、利用者の職業の入力を利用者から受け付ける。
【００３５】
利用者登録画面５２０のコメント入力表示部５２５は、他の利用者に向けたコメントの入力を利用者から受け付けるとともに、その入力済みのコメントを表示する。利用者登録画面５２０の同意受付部５２６は、ＳＮＳシステム１０によるＳＮＳの利用に関する各種の規約に対する同意の入力を利用者から受け付ける。
【００３６】
利用者登録画面５２０の登録確定ボタン５２８は、利用者登録画面５２０に入力されている各種情報を登録する入力を利用者から受け付ける。登録確定ボタン５２８がタッチパネル１１０における利用者のタップ操作を受け付けた場合、ユーザ端末装置１００は、コミュニティ表示部５２２、個人情報入力表示部５２４ａ〜５２４ｄ、ならびに、コメント入力表示部５２５に入力されている各種情報を、ＳＮＳシステム１０に登録すべき利用者の登録情報として受け付け、これら各種情報を管理サーバ装置２００に送信する。
【００３７】
図５は、投稿表示画面５３０の一例を示す説明図である。投稿表示画面５３０は、利用者登録画面５２０を通じて登録された利用者に対して、その利用者が所属するコミュニティにおける投稿情報および広告情報を表示する画面である。投稿表示画面５３０は、ＳＮＳアプリケーション１５０の機能に基づいてタッチパネル１１０に表示されるグラフィカルユーザインタフェースである。投稿表示画面５３０は、メニューボタン５３１と、コミュニティ表示部５３２と、投稿表示部５３４とを備える。
【００３８】
投稿表示画面５３０のメニューボタン５３１は、ＳＮＳアプリケーション１５０によって提供される投稿表示画面５３０を含む複数の画面にリンクするリンクメニューを表示するボタンである。メニューボタン５３１がタッチパネル１１０における利用者のタップ操作を受け付けた場合、ユーザ端末装置１００は、投稿表示画面５３０の上に重ねてリンクメニューを表示する。
【００３９】
投稿表示画面５３０のコミュニティ表示部５３２は、投稿表示画面５３０において投稿情報を表示するコミュニティとして選択されているコミュニティ（神社）の名称を表示する。利用者は、メニューボタン５３１を操作することによって投稿表示画面５３０に投稿情報を表示するコミュニティを切り替えることが可能である。
【００４０】
投稿表示画面５３０の投稿表示部５３４は、コミュニティ表示部５３２に表示されているコミュニティ（神社）に投稿された投稿情報を表示する。投稿表示部５３４は、ユーザ端末装置１００を操作する利用者自身による投稿情報のほか、他の利用者による投稿情報に加え、そのコミュニティに対して出稿された広告情報を表示する。コミュニティ表示部５３２に表示される投稿情報および広告情報は、所定のアルゴリズムに基づいて管理サーバ装置２００によって選定される。
【００４１】
投稿表示部５３４は、各種の表示項目を表示可能に構成されている。投稿表示部５３４の表示項目は、新規投稿ボタン５３５と、投稿情報表示部５３６Ｘ，５３６Ｙと、広告表示部５３８とを含む。投稿表示部５３４は、各種の表示項目を上下方向に連ねて表示する。投稿表示部５３４がタッチパネル１１０における利用者のスワイプ操作を受け付けた場合、ユーザ端末装置１００は、投稿表示部５３４に表示されている表示項目をスワイプ操作方向へ移動させる。
【００４２】
新規投稿ボタン５３５は、利用者から新規の投稿を受け付けるボタンである。投稿表示画面５３０において投稿情報を表示するコミュニティとして、ユーザ端末装置１００を操作する利用者自身が所属するコミュニティが選択されている場合、新規投稿ボタン５３５は、投稿表示部５３４に表示される。言い換えると、利用者は、その利用者が所属するコミュニティに対してのみ投稿することが可能である。新規投稿ボタン５３５がタッチパネル１１０における利用者のタップ操作を受け付けた場合、ユーザ端末装置１００は、投稿情報の入力を利用者から受け付ける別の画面（図示しない）を表示する。
【００４３】
投稿情報表示部５３６Ｘは、ユーザ端末装置１００を操作する利用者自身による投稿情報を表示する。投稿情報表示部５３６Ｘは、投稿者表示部５３６ａと、投稿文表示部５３６ｂと、投稿画像表示部５３６ｃと、評価入力表示部５３６ｄと、コメント入力表示部５３６ｅとを有する。投稿者表示部５３６ａは、投稿情報を投稿した利用者（投稿者）の登録情報である名前および画像を表示する。投稿文表示部５３６ｂは、投稿情報として投稿された文字情報を表示する。投稿画像表示部５３６ｃは、投稿情報として投稿された画像情報を表示する。コメント入力表示部５３６ｅは、投稿文表示部５３６ｂおよび投稿画像表示部５３６ｃに表示されている投稿情報に対するコメントの入力を投稿者とは異なる他の利用者から受け付けるとともに、他の利用者からのコメントを表示する。
【００４４】
評価入力表示部５３６ｄは、投稿文表示部５３６ｂおよび投稿画像表示部５３６ｃに表示されている投稿情報に対する評価の入力を投稿者とは異なる他の利用者から受け付けるとともに、他の利用者からの評価実績を表示する。評価入力表示部５３６ｄにおけるハート型のアイコンに対するタップ操作に応じて、その投稿情報に対して評価ポイントが付与され、再度のタップ操作に応じて、その投稿情報に付与されていた評価ポイントが取り消される。評価入力表示部５３６ｄは、投稿者とは異なる他の利用者から１人あたり１つの投稿情報に対して１ポイントの評価ポイントを受付可能に構成されている。評価入力表示部５３６ｄは、投稿者である利用者からは、その利用者自身の投稿情報に対する評価ポイントを受け付けないように構成されている。図５の例では、評価入力表示部５３６ｄには、評価実績として、１１人の他の利用者から評価ポイントが付与されたことを示す評価ポイント「１１」が表示されている。
【００４５】
投稿情報表示部５３６Ｙは、ユーザ端末装置１００を操作する利用者とは異なる他の利用者による投稿情報を表示する点を除き、投稿情報表示部５３６Ｘと同様である。投稿情報表示部５３６Ｙは、投稿情報表示部５３６Ｘと同様に、投稿者表示部５３６ａと、投稿文表示部５３６ｂと、投稿画像表示部５３６ｃと、評価入力表示部５３６ｄと、コメント入力表示部５３６ｅとを有する。
【００４６】
広告表示部５３８は、コミュニティ表示部５３２に表示されているコミュニティ（神社）に対して出稿された広告情報を表示する。広告表示部５３８は、広告主表示部５３８ａと、広告文表示部５３８ｂと、広告画像表示部５３８ｃと、広告説明部５３８ｄとを有する。広告主表示部５３８ａは、ＳＮＳシステム１０に広告情報の掲載を依頼した広告主の名称およびロゴを表示する。広告文表示部５３８ｂは、広告情報として出稿された文字情報を表示する。広告画像表示部５３８ｃは、広告情報として出稿された画像情報を表示する。広告説明部５３８ｄは、広告表示部５３８に表示される情報が広告である旨、ならびに、その広告の収益の一部が利用者に還元される旨を表示する。
【００４７】
図６は、ステータス画面５４０の一例を示す説明図である。ステータス画面５４０は、利用者に関する各種情報を表示する画面である。ステータス画面５４０は、ＳＮＳアプリケーション１５０の機能に基づいてタッチパネル１１０に表示されるグラフィカルユーザインタフェースである。ステータス画面５４０は、移行ボタン５４１と、登録情報表示部５４２と、ポイント表示部５４４と、換金レート表示部５４６と、換金受付ボタン５４８とを有する。
【００４８】
ステータス画面５４０の移行ボタン５４１は、ステータス画面５４０より１つ手前の階層に位置する投稿表示画面５３０に移行する操作入力を利用者から受け付けるボタンである。移行ボタン５４１がタッチパネル１１０における利用者のタップ操作を受け付けた場合、ユーザ端末装置１００は、タッチパネル１１０に表示する画面をステータス画面５４０から投稿表示画面５３０へと切り替える。
【００４９】
ステータス画面５４０の登録情報表示部５４２は、ユーザ端末装置１００を操作する利用者の登録情報を表示する。登録情報表示部５４２は、利用者の登録情報として、利用者の名前、生年月日、性別および職業を表示する。登録情報表示部５４２は、登録情報編集ボタン５４２ａを有する。登録情報編集ボタン５４２ａがタッチパネル１１０における利用者のタップ操作を受け付けた場合、ユーザ端末装置１００は、登録情報の編集を利用者から受け付ける別の画面（図示しない）を表示する。
【００５０】
ステータス画面５４０のポイント表示部５４４は、ユーザ端末装置１００を操作する利用者が保有する各種ポイントに関する情報を表示する。ポイント表示部５４４は、還元ポイント表示部５４４ａと、評価ポイント表示部５４４ｂと、他ポイント表示部５４４ｃと、消費ポイント表示部５４４ｄとを有する。還元ポイント表示部５４４ａは、ユーザ端末装置１００を操作する利用者が保有する還元ポイントを表示する。還元ポイントは、還元原資と換金可能なポイントである。還元ポイントは、利用者別評価ポイントに他の評価ポイントを加算した値から消費ポイントを減算した値として算出される。評価ポイント表示部５４４ｂは、複数の投稿情報に付与された評価ポイントを利用者ごとに集計した利用者別評価ポイントを、還元ポイントの内訳として表示する。他ポイント表示部５４４ｃは、投稿情報に付与された評価ポイントとは別に特典やキャンペーンなどで利用者に付与される他の評価ポイントを、還元ポイントの内訳として表示する。消費ポイント表示部５４４ｄは、還元原資と既に換金されている消費ポイントを、還元ポイントの内訳として表示する。ポイント表示部５４４に表示される各種ポイントは、リアルタイムで更新される。
【００５１】
ステータス画面５４０の換金レート表示部５４６は、還元ポイントを還元原資と換金する換金レートに関する情報を表示する。換金レート表示部５４６は、地域別レート表示部５４６ａを有する。地域別レート表示部５４６ａは、ユーザ端末装置１００を操作する利用者が所属する地域社会（神社）における換金レートを表示する。地域別レート表示部５４６ａの換金レートは、ユーザ端末装置１００を操作する利用者が所属する地域社会に積み立てられている還元原資の金額である還元原資金額を、その地域社会に所属する複数の利用者に付与される全ての還元ポイントを集計した総還元ポイントで除算した値である。本実施形態では、換金レートの値には上限値である上限レートを設定可能であり、還元原資金額を総還元ポイントで除算した値が上限レートを超える場合、地域別レート表示部５４６ａには上限レートが換金レートとして表示される。換金レート表示部５４６に表示される還元レートは、リアルタイムで更新される。
【００５２】
ステータス画面５４０の換金受付ボタン５４８は、還元ポイントの換金を利用者から受け付けるボタンである。換金受付ボタン５４８がタッチパネル１１０における利用者のタップ操作を受け付けた場合、ユーザ端末装置１００は、還元ポイントの換金を利用者から受け付ける別の画面（図示しない）を表示する。
【００５３】
図７は、管理サーバ装置２００の詳細構成を示す説明図である。管理サーバ装置２００は、主制御部２１０と、ネットワーク通信部２２０とを備える。主制御部２１０は、管理サーバ装置２００の各部を制御する。ネットワーク通信部２２０は、コンピュータネットワーク８００に接続可能に構成されている。
【００５４】
管理サーバ装置２００は、更に、利用者の登録に関する機能として、利用者管理部２３２と、利用者データベース部２３４とを備える。利用者管理部２３２は、ユーザ端末装置１００を通じて利用者から受け付けた登録情報を管理する。利用者データベース部２３４は、利用者管理部２３２によって管理される利用者の登録情報を蓄積する。
【００５５】
管理サーバ装置２００は、更に、投稿情報に関する機能として、投稿受付部２４２と、投稿情報データベース部２４４と、投稿表示指示部２４６とを備える。投稿受付部２４２は、ユーザ端末装置１００を通じて利用者から投稿された投稿情報を受け付ける。投稿情報データベース部２４４は、投稿受付部２４２によって受け付けられた投稿情報を蓄積する。投稿表示指示部２４６は、複数の利用者から投稿された複数の投稿情報の表示をユーザ端末装置１００に指示する。
【００５６】
管理サーバ装置２００は、更に、評価ポイントに関する機能として、評価ポイント受付部２５２と、投稿別評価ポイント算出部２５４と、投稿別評価ポイント表示指示部２５６とを備える。評価ポイント受付部２５２は、ユーザ端末装置１００に表示される投稿情報ごとに、その投稿情報を作成した利用者とは異なる他の利用者による評価を示す評価ポイントを、ユーザ端末装置１００を通じて受け付ける。投稿情報データベース部２４４は、評価ポイント受付部２５２によって受け付けられた評価ポイントを、投稿情報に関連付けて蓄積する。
【００５７】
投稿別評価ポイント算出部２５４は、複数の評価ポイントを投稿情報ごとに集計した投稿別評価ポイントを算出する。投稿情報データベース部２４４は、投稿別評価ポイント算出部２５４によって算出された投稿別評価ポイントを、投稿情報に関連付けて蓄積する。投稿別評価ポイント表示指示部２５６は、投稿表示指示部２４６によってユーザ端末装置１００に表示される投稿情報ごとに投稿別評価ポイントの表示をユーザ端末装置１００に指示する。
【００５８】
管理サーバ装置２００は、更に、還元ポイントに関する機能として、利用者別評価ポイント算出部２６２と、還元ポイント算出部２６４と、総還元ポイント算出部２６６とを備える。利用者別評価ポイント算出部２６２は、複数の投稿別評価ポイントを利用者ごとに集計した利用者別評価ポイントを算出する。利用者データベース部２３４は、還元ポイント算出部２６４によって算出された利用者別評価ポイントを、利用者の登録情報に関連付けて蓄積する。
【００５９】
還元ポイント算出部２６４は、利用者別評価ポイント算出部２６２によって算出された利用者別評価ポイントに基づいて、還元原資と換金可能な還元ポイントを利用者ごとに算出する。利用者データベース部２３４は、還元ポイント算出部２６４によって算出された還元ポイントを、利用者の登録情報に関連付けて蓄積する。本実施形態では、還元ポイント算出部２６４は、利用者別評価ポイントに対して、利用者別評価ポイントとは異なる他の評価ポイントを加算するとともに、還元原資と既に換金されている消費ポイントを減算することによって、還元ポイントを算出する。総還元ポイント算出部２６６は、還元原資の還元対象である複数の利用者にそれぞれ付与される複数の還元ポイントを集計した総還元ポイントを算出する。
【００６０】
管理サーバ装置２００は、更に、広告情報に関する機能として、広告受付部２７２と、広告情報データベース部２７４と、広告表示指示部２７６と、還元原資管理部２７８とを備える。広告受付部２７２は、管理端末装置３００を通じて管理者から入力された広告情報を受け付ける。広告情報データベース部２７４は、広告受付部２７２によって受け付けられた広告情報を蓄積する。広告表示指示部２７６は、投稿表示指示部２４６による投稿情報の表示に併せて利用者に報知する広告情報の表示を、ユーザ端末装置１００に指示する。
【００６１】
還元原資管理部２７８は、広告情報を表示する対価である広告料から積み立てられるとともに利用者に還元される還元原資の金額である還元原資金額を管理する。還元原資管理部２７８は、広告受付部２７２によって受け付けられた広告情報に含まれる広告料情報に基づいて還元原資金額を管理する。
【００６２】
管理サーバ装置２００は、更に、換金レートに関する機能として、換金レート算出部２８２と、換金レート表示指示部２８４とを備える。換金レート算出部２８２は、還元原資管理部２７８によって管理される還元原資金額を、総還元ポイント算出部２６６によって算出される総還元ポイントで除算することによって、換金レートを算出する。換金レート表示指示部２８４は、換金レート算出部２８２によって算出される換金レートの表示をユーザ端末装置１００に指示する。本実施形態では、換金レート表示指示部２８４は、管理端末装置３００からの指示に基づいて換金レートの上限値である上限レートを設定し、還元原資金額を総還元ポイントで除算した値が上限レートを超える場合、上限レートを換金レートとして算出する。
【００６３】
換金レート表示指示部２８４は、ユーザ端末装置１００を操作する利用者の利用者別評価ポイントおよび還元ポイントの少なくとも一方の表示とともに換金レートの表示を、そのユーザ端末装置１００に指示することが可能である。換金レート表示指示部２８４は、総評価ポイントおよび還元原資金額の少なくとも一方が変更された場合、ユーザ端末装置１００に表示されている換金レートの更新をユーザ端末装置１００に指示することが可能である。
【００６４】
本実施形態では、利用者管理部２３２は、複数の地域社会（神社）のいずれか１つに関連付けて利用者を管理する。還元原資管理部２７８は、地域社会ごとに還元原資金額を管理する。総還元ポイント算出部２６６は、地域社会ごとに総還元ポイントを算出する。換金レート算出部は、地域社会ごとに換金レートを算出する。換金レート表示指示部２８４は、ユーザ端末装置１００を操作する利用者に関連付けられた地域社会の換金レートの表示を、そのユーザ端末装置に指示する。
【００６５】
本実施形態では、評価ポイント受付部２５２は、ユーザ端末装置１００に表示される投稿情報ごとに、共通の地域社会に関連付けられた利用者のうち、その投稿情報を作成した利用者とは異なる他の利用者による評価を示す評価ポイントを、ユーザ端末装置１００を通じて受け付けることが可能である。さらに、評価ポイント受付部２５２は、ユーザ端末装置１００に表示される投稿情報ごとに、その投稿情報を作成した利用者に関連付けられた第１の地域社会とは異なる第２の地域社会に関連付けられた他の利用者による評価を示す評価ポイントを、ユーザ端末装置１００を通じて受け付けることが可能である。還元原資管理部２７８は、第２の地域社会に関連付けられた他の利用者による評価ポイントを受け付けた場合、他の利用者による評価ポイントに第２の地域社会の換金レートを乗算した評価金額を、第２の地域社会の還元原資金額から第１の地域社会の還元原資金額へと振り替えることが可能である。
【００６６】
管理サーバ装置２００の各種機能は、コンピュータプログラムに基づいてソフトウェア的に実現される。管理サーバ装置２００の各種機能の少なくとも一部は、回路構成に基づいてハードウェア的に実現されてもよい。
【００６７】
図８は、ＳＮＳシステム１０の動作を示す説明図である。図８の紙面左側には、ユーザ端末装置１００による利用者情報登録処理を示すフローチャートが図示されている。図８の紙面右側には、管理サーバ装置２００による利用者情報登録処理を示すフローチャートが図示されている。
【００６８】
ユーザ端末装置１００は、利用者から操作入力に基づいて、利用者管理部２３２を機能させることによって利用者情報登録処理を開始する。利用者情報登録処理を開始した後、ユーザ端末装置１００は、ＳＮＳシステム１０への利用者の登録を管理サーバ装置２００に要求する（ステップＳ１１１）。
【００６９】
管理サーバ装置２００は、ユーザ端末装置１００からの要求に基づいて利用者情報登録処理を開始する。利用者情報登録処理を開始した後、管理サーバ装置２００は、コミュニティ選択画面５１０をユーザ端末装置１００に表示する制御を実行する（ステップＳ２１２）。ユーザ端末装置１００は、管理サーバ装置２００からの制御情報に基づいてコミュニティ選択画面５１０を表示する（ステップＳ１１２、図３を参照）。
【００７０】
コミュニティ選択画面５１０において選択確定ボタン５１６ｄがタッチパネル１１０における利用者のタップ操作を受け付けた場合、ユーザ端末装置１００は、選択ピン５１４ｃａによって示されているコミュニティ（神社）を、利用者が所属を希望するコミュニティの選択として受け付ける（ステップＳ１１３）。
【００７１】
管理サーバ装置２００は、ユーザ端末装置１００を通じてコミュニティの選択を受け付けた後（ステップＳ２１３）、利用者登録画面５２０をユーザ端末装置１００に表示する制御を実行する（ステップＳ２１６）。ユーザ端末装置１００は、管理サーバ装置２００からの制御情報に基づいて利用者登録画面５２０を表示する（ステップＳ１１６、図４を参照）。
【００７２】
利用者登録画面５２０において登録確定ボタン５２８がタッチパネル１１０における利用者のタップ操作を受け付けた場合、ユーザ端末装置１００は、利用者に関する各種の登録情報を受け付ける（ステップＳ１１７）。
【００７３】
管理サーバ装置２００は、ユーザ端末装置１００を通じて登録情報を受け付けた後（ステップＳ２１７）、利用者登録画面５２０から投稿表示画面５３０への画面表示の移行をユーザ端末装置１００に指示する（ステップＳ２１９）。その後、管理サーバ装置２００は、利用者情報登録処理を終了する。
【００７４】
ユーザ端末装置１００は、ユーザ端末装置１００からの制御信号に基づいて、利用者登録画面５２０から投稿表示画面５３０へと画面表示を移行させる（ステップＳ１１９、図５を参照）。その後、ユーザ端末装置１００は、利用者情報登録処理を終了する。
【００７５】
図９は、ＳＮＳシステム１０の動作を示す説明図である。図９の紙面左側には、ユーザ端末装置１００による投稿表示処理を示すフローチャートが図示されている。図９の紙面右側には、管理サーバ装置２００による投稿表示処理を示すフローチャートが図示されている。
【００７６】
ユーザ端末装置１００は、定期的に投稿表示処理を開始する。投稿表示処理を開始した後、ユーザ端末装置１００は、投稿表示画面５３０を表示中であるか否かを判断する（ステップＳ１２１）。投稿表示画面５３０を表示中でない場合（ステップＳ１２１：「ＮＯ」）、ユーザ端末装置１００は、投稿表示処理を終了する。
【００７７】
投稿表示画面５３０を表示中である場合（ステップＳ１２１：「ＹＥＳ」）、ユーザ端末装置１００は、管理サーバ装置２００からの制御信号に基づいて、投稿表示画面５３０に投稿情報および広告情報を表示する（ステップＳ１２２、図５を参照）。
【００７８】
管理サーバ装置２００は、ユーザ端末装置１００において投稿表示画面５３０を表示する際に投稿表示処理を実行する。投稿表示処理において、管理サーバ装置２００は、投稿表示制御処理、評価ポイント表示制御処理および広告表示制御処理を実行する（ステップＳ２２２）。投稿表示制御処理は、投稿表示指示部２４６の機能に基づいて、投稿情報をユーザ端末装置１００に表示させる処理である。評価ポイント表示制御処理は、投稿別評価ポイント表示指示部２５６の機能に基づいて、投稿別評価ポイントをユーザ端末装置１００に表示させる処理である。広告表示制御処理は、広告表示指示部２７６の機能に基づいて、広告情報をユーザ端末装置１００に表示させる処理である。
【００７９】
投稿表示画面５３０に投稿情報および広告情報を表示した後（ステップＳ１２２）、ユーザ端末装置１００は、新規投稿ボタン５３５がタッチパネル１１０における利用者のタップ操作を受け付けたか否かを判断する（ステップＳ１２４）。新規投稿ボタン５３５がタップ操作された場合（ステップＳ１２４：「ＹＥＳ」）、ユーザ端末装置１００は、投稿情報の入力を利用者から受け付ける投稿受付処理（ステップＳ１２５）を実行する。投稿受付処理（ステップＳ１２５）を完了した後、ユーザ端末装置１００は、投稿表示処理を終了する。
【００８０】
ユーザ端末装置１００が投稿受付処理（ステップＳ１２５）を実行する際、管理サーバ装置２００は、投稿受付部２４２を機能させることによって、ユーザ端末装置１００を通じて投稿情報を利用者から受け付ける投稿受付処理（ステップＳ２２５）を実行する。
【００８１】
新規投稿ボタン５３５がタップ操作されていない場合（ステップＳ１２４：「ＮＯ」）、ユーザ端末装置１００は、評価入力表示部５３６ｄがタッチパネル１１０における利用者のタップ操作を受け付けたか否かを判断する（ステップＳ１２６）。評価入力表示部５３６ｄがタップ操作された場合（ステップＳ１２６：「ＹＥＳ」）、ユーザ端末装置１００は、投稿情報に対する評価ポイントを利用者から受け付ける評価ポイント受付処理（ステップＳ１２７）を実行する。評価ポイント受付処理（ステップＳ１２７）を完了した後、ユーザ端末装置１００は、投稿表示処理を終了する。
【００８２】
ユーザ端末装置１００が評価ポイント受付処理（ステップＳ１２７）を実行する際、管理サーバ装置２００は、評価ポイント受付部２５２を機能させることによって、ユーザ端末装置１００を通じて評価ポイントを利用者から受け付ける評価ポイント受付処理（ステップＳ２２７）を実行する。管理サーバ装置２００は、ユーザ端末装置１００による投稿表示処理の終了に応じて、投稿表示処理を終了する。
【００８３】
図１０は、管理サーバ装置２００が実行するステータス更新処理を示すフローチャートである。管理サーバ装置２００は、定期的にステータス更新処理を開始する。
【００８４】
ステータス更新処理を開始した後、管理サーバ装置２００は、投稿別評価ポイント算出部２５４を機能させることによって、投稿別評価ポイントを算出する投稿別評価ポイント算出処理（ステップＳ２３１）を実行する。投稿別評価ポイントは、複数の評価ポイントを投稿情報ごとに集計したポイントである。
【００８５】
投稿別評価ポイント算出処理（ステップＳ２３１）を完了した後、管理サーバ装置２００は、利用者別評価ポイント算出部２６２を機能させることによって、利用者別評価ポイントを算出する利用者別評価ポイント算出処理（ステップＳ２３２）を実行する。利用者別評価ポイントは、複数の投稿別評価ポイントを利用者ごとに集計したポイントである。
【００８６】
利用者別評価ポイント算出処理（ステップＳ２３２）を完了した後、管理サーバ装置２００は、還元ポイント算出部２６４を機能させることによって、還元ポイントを算出する還元ポイント算出処理（ステップＳ２３４）を実行する。還元ポイントは、還元原資と換金可能なポイントであり、利用者別評価ポイントに基づいて利用者ごとに算出される。
【００８７】
還元ポイント算出処理（ステップＳ２３４）を完了した後、管理サーバ装置２００は、総還元ポイント算出部２６６を機能させることによって、総還元ポイントを算出する総還元ポイント算出処理（ステップＳ２３５）を実行する。総還元ポイントは、還元原資の還元対象である複数の利用者にそれぞれ付与される複数の還元ポイントを集計したポイントである。
【００８８】
総還元ポイント算出処理（ステップＳ２３５）を完了した後、管理サーバ装置２００は、換金レート算出部２８２を機能させることによって、換金レートを算出する換金レート算出処理（ステップＳ２３８）を実行する。換金レートは、還元原資金額を総還元ポイントで除算した値である。換金レート算出処理（ステップＳ２３８）を完了した後、管理サーバ装置２００は、ステータス更新処理を終了する。
【００８９】
図１１は、ＳＮＳシステム１０の動作を示す説明図である。図１１の紙面左側には、ユーザ端末装置１００によるステータス表示処理を示すフローチャートが図示されている。図１１の紙面右側には、管理サーバ装置２００によるステータス表示処理を示すフローチャートが図示されている。
【００９０】
ユーザ端末装置１００は、定期的にステータス表示処理を開始する。ステータス表示処理を開始した後、ユーザ端末装置１００は、ステータス画面５４０を表示中であるか否かを判断する（ステップＳ１４１）。ステータス画面５４０を表示中でない場合（ステップＳ１４１：「ＮＯ」）、ユーザ端末装置１００は、ステータス表示処理を終了する。
【００９１】
ステータス画面５４０を表示中である場合（ステップＳ１４１：「ＹＥＳ」）、ユーザ端末装置１００は、管理サーバ装置２００からの制御信号に基づいて、ステータス画面５４０に利用者別ポイント情報を表示する（ステップＳ１４２、図６を参照）。利用者別ポイント情報は、ユーザ端末装置１００を操作する利用者が保有する還元ポイントに加え、その還元ポイントの内訳として、利用者別評価ポイント、他の評価ポイントおよび消費ポイントを含む。
【００９２】
ステータス画面５４０に利用者別ポイント情報を表示した後（ステップＳ１４４）、ユーザ端末装置１００は、管理サーバ装置２００からの制御信号に基づいて、ステータス画面５４０に換金レートを表示する（ステップＳ１４４、図６を参照）。換金レートは、還元原資金額を総還元ポイントで除算した値である。
【００９３】
管理サーバ装置２００は、ユーザ端末装置１００においてステータス画面５４０を表示する際にステータス表示処理を開始する。ステータス表示処理を開始した後、管理サーバ装置２００は、利用者管理部２３２を機能させることによって、ユーザ端末装置１００に利用者別ポイントを表示させる利用者別ポイント表示指示処理（ステップＳ２４２）を実行する。
【００９４】
利用者別ポイント表示指示処理（ステップＳ２４２）を実行した後、管理サーバ装置２００は、換金レート表示指示部２８４を機能させることによって、ユーザ端末装置１００に換金レートを表示させる換金レート表示指示処理（ステップＳ２４４）を実行する。換金レート表示指示処理（ステップＳ２４４）を完了した後、管理サーバ装置２００は、ステータス表示処理を終了する。
【００９５】
以上説明した実施形態によれば、還元原資金額および総還元ポイントに応じた換金レートによって評価ポイントの増加に伴う還元原資の不足を回避しつつ、その換金レートをユーザ端末装置１００に表示させるため、利用者に対して還元ポイントを貯蓄することへの期待値を向上させることができ、還元ポイントと還元原資との換金も抑制できる。その上で、投稿情報に対する評価ポイントの増加は還元ポイントの増加に繋がるため、利用者にとって投稿情報の質を向上させる動機付けとなり得る。その結果、投稿情報の質の向上を通じて投稿情報へのアクセスを向上させ、延いては広告情報の稼働率（表示頻度）を向上させることができる。
【００９６】
また、管理サーバ装置２００は、ユーザ端末装置１００を操作する利用者の利用者別評価ポイントおよび還元ポイントの少なくとも一方の表示とともに換金レートの表示を、そのユーザ端末装置１００に指示する。そのため、評価ポイントに基づいて還元原資から換金される金額を利用者に把握させることができる。
【００９７】
また、管理サーバ装置２００は、総評価ポイントおよび還元原資金額の少なくとも一方が変更された場合、ユーザ端末装置１００に表示されている換金レートの更新をユーザ端末装置１００に指示する。そのため、換金レートの変動を利用者に把握させることができる。
【００９８】
また、管理サーバ装置２００は、利用者別評価ポイントに対して、利用者別評価ポイントとは異なる他の評価ポイントを加算するとともに、還元原資と既に換金されている消費ポイントを減算することによって、還元ポイントを算出する。そのため、他の評価ポイントおよび消費ポイントを加味した還元ポイントを算出できる。
【００９９】
また、管理サーバ装置２００は、換金レートの上限値である上限レートを設定し、還元原資金額を総還元ポイントで除算した値が上限レートを超える場合、上限レートを換金レートとして算出する。そのため、還元原資金額に対して総還元ポイントが過剰に少ない場合に、還元原資から換金される金額が過剰に高額になることを防止できる。
【０１００】
また、管理サーバ装置２００は、利用者が所属する地域社会ごとに、還元原資金額、総還元ポイントおよび換金レートを管理する。そのため、地域社会ごとに、投稿情報の質の向上を通じて投稿情報へのアクセスを向上させ、延いては広告情報の稼働率を向上させることができる。
【０１０１】
その上で、管理サーバ装置２００は、ユーザ端末装置１００に表示される投稿情報ごとに、その投稿情報を作成した利用者に関連付けられた第１の地域社会とは異なる第２の地域社会に関連付けられた他の利用者による評価を示す評価ポイントを、そのユーザ端末装置を通じて受け付ける。さらに、管理サーバ装置２００は、第２の地域社会に関連付けられた他の利用者による評価ポイントを受け付けた場合、他の利用者による評価ポイントに第２の地域社会の換金レートを乗算した評価金額を、第２の地域社会の還元原資金額から第１の地域社会の還元原資金額へと振り替える。そのため、地域社会ごとに還元原資を管理しつつ、異なる地域社会の間における評価ポイントのやり取りを実現できる。
【０１０２】
Ｂ．その他の実施形態
本明細書に開示する技術は、上述した実施形態、実施例および変形例に限られず、その趣旨を逸脱しない範囲において種々の構成で実現できる。例えば、上述した実施形態、実施例および変形例における技術的特徴のうち、発明の概要の欄に記載した各形態における技術的特徴に対応するものは、上述の課題の一部または全部を解決するために、あるいは、上述の効果の一部または全部を達成するために、適宜、差し替えおよび組み合わせることができる。また、本明細書中に必須なものとして説明されていない技術的特徴については、適宜、削除できる。
【０１０３】
例えば、管理サーバ装置２００は、地域社会ごとに利用者を管理してもよいし、単一のコミュニティで全ての利用者を管理してもよい。ＳＮＳシステム１０で取り扱う地域社会の単位は、氏神（神社）に限らず、一定の利用者が繋がる単位であればよく、学区であってもよいし、行政区画であってもよいし、国であってもよい。
【符号の説明】
【０１０４】
１０…ＳＮＳシステム
１００…ユーザ端末装置
１１０…タッチパネル
１２０…ネットワーク通信部
１５０…ＳＮＳアプリケーション
１５４…端末入力部
１５６…端末表示部
１５８…端末送受信部
２００…管理サーバ装置
２１０…主制御部
２２０…ネットワーク通信部
２３２…利用者管理部
２３４…利用者データベース部
２４２…投稿受付部
２４４…投稿情報データベース部
２４６…投稿表示指示部
２５２…評価ポイント受付部
２５４…投稿別評価ポイント算出部
２５６…投稿別評価ポイント表示指示部
２６２…利用者別評価ポイント算出部
２６４…還元ポイント算出部
２６６…総還元ポイント算出部
２７２…広告受付部
２７４…広告情報データベース部
２７６…広告表示指示部
２７８…還元原資管理部
２８２…換金レート算出部
２８４…換金レート表示指示部
３００…管理端末装置
５１０…コミュニティ選択画面
５１１…移行ボタン
５１２…検索ボックス
５１４…地図表示部
５１４ａ…現在地ボタン
５１４ｂ…検索ボタン
５１４ｃ…候補ピン
５１４ｃａ…選択ピン
５１６…コミュニティ詳細表示部
５１６ｄ…選択確定ボタン
５２０…利用者登録画面
５２１…移行ボタン
５２２…コミュニティ表示部
５２４ａ〜５２４ｄ…個人情報入力表示部
５２５…コメント入力表示部
５２６…同意受付部
５２８…登録確定ボタン
５３０…投稿表示画面
５３１…メニューボタン
５３２…コミュニティ表示部
５３４…投稿表示部
５３５…新規投稿ボタン
５３６Ｘ，５３６Ｙ…投稿情報表示部
５３６ａ…投稿者表示部
５３６ｂ…投稿文表示部
５３６ｃ…投稿画像表示部
５３６ｄ…評価入力表示部
５３６ｅ…コメント入力表示部
５３８…広告表示部
５３８ａ…広告主表示部
５３８ｂ…広告文表示部
５３８ｃ…広告画像表示部
５３８ｄ…広告説明部
５４０…ステータス画面
５４１…移行ボタン
５４２…登録情報表示部
５４２ａ…登録情報編集ボタン
５４４…ポイント表示部
５４４ａ…還元ポイント表示部
５４４ｂ…評価ポイント表示部
５４４ｃ…他ポイント表示部
５４４ｄ…消費ポイント表示部
５４６…換金レート表示部
５４６ａ…地域別レート表示部
５４８…換金受付ボタン
８００…コンピュータネットワーク
【図１】
2020187448.tif 000003
【図２】
2020187448.tif 000004
【図３】
2020187448.tif 000005
【図４】
2020187448.tif 000006
【図５】
2020187448.tif 000007
【図６】
2020187448.tif 000008
【図７】
2020187448.tif 000009
【図８】
2020187448.tif 000010
【図９】
2020187448.tif 000011
【図１０】
2020187448.tif 000012
【図１１】
2020187448.tif 000013
【手続補正書】
【提出日】令和1年9月20日(2019.9.20)
【手続補正１】
【補正対象書類名】特許請求の範囲
【補正対象項目名】全文
【補正方法】変更
【補正の内容】
【特許請求の範囲】
【請求項１】
ＳＮＳシステムにおいて、利用者によって操作可能なユーザ端末装置と、コンピュータネットワークを介してデータをやり取り可能に構成された管理サーバ装置であって、
前記ユーザ端末装置を通じて前記利用者から投稿された投稿情報を受け付ける投稿受付部と、
複数の前記利用者から投稿された複数の前記投稿情報の表示を、前記ユーザ端末装置に指示する投稿表示指示部と、
前記投稿情報の表示に併せて前記利用者に報知する広告情報の表示を、前記ユーザ端末装置に指示する広告表示指示部と、
前記ユーザ端末装置に表示される前記投稿情報ごとに、当該投稿情報を作成した利用者とは異なる他の利用者による評価を示す評価ポイントを、前記ユーザ端末装置を通じて受け付ける評価ポイント受付部と、
複数の前記評価ポイントを前記投稿情報ごとに集計した投稿別評価ポイントを算出する投稿別評価ポイント算出部と、
前記ユーザ端末装置に表示される前記投稿情報ごとに前記投稿別評価ポイントの表示を前記ユーザ端末装置に指示する投稿別評価ポイント表示指示部と、
複数の前記投稿別評価ポイントを前記利用者ごとに集計した利用者別評価ポイントを算出する利用者別評価ポイント算出部と、
前記広告情報を表示する対価である広告料から積み立てられるとともに前記利用者に還元される還元原資の金額である還元原資金額を管理する還元原資管理部と、
前記利用者別評価ポイントに基づいて、前記還元原資と換金可能な還元ポイントを前記利用者ごとに算出する還元ポイント算出部と、
前記還元原資の還元対象である複数の前記利用者にそれぞれ付与される複数の前記還元ポイントを集計した総還元ポイントを算出する総還元ポイント算出部と、
前記還元原資金額を前記総還元ポイントで除算した換金レートを算出する換金レート算出部と、
前記換金レートの表示を前記ユーザ端末装置に指示する換金レート表示指示部と、
複数の地域社会のいずれか１つに関連付けて前記利用者を管理する利用者管理部と
を備え、
前記還元原資管理部は、前記地域社会ごとに前記還元原資金額を管理し、
前記総還元ポイント算出部は、前記地域社会ごとに前記総還元ポイントを算出し、
前記換金レート算出部は、前記地域社会ごとに前記換金レートを算出し、
前記換金レート表示指示部は、前記ユーザ端末装置を操作する前記利用者に関連付けられた前記地域社会の前記換金レートの表示を当該ユーザ端末装置に指示し、
前記評価ポイント受付部は、前記ユーザ端末装置に表示される前記投稿情報ごとに、共通の地域社会に関連付けられた利用者のうち当該投稿情報を作成した利用者とは異なる他の利用者による評価を示す前記評価ポイントを、前記ユーザ端末装置を通じて受け付けるとともに、前記ユーザ端末装置に表示される前記投稿情報ごとに、当該投稿情報を作成した利用者に関連付けられた第１の地域社会とは異なる第２の地域社会に関連付けられた他の利用者による評価を示す前記評価ポイントを、前記ユーザ端末装置を通じて受け付け、
前記還元原資管理部は、前記第２の地域社会に関連付けられた他の利用者による前記評価ポイントを受け付けた場合、前記他の利用者による前記評価ポイントに前記第２の地域社会の前記換金レートを乗算した評価金額を、前記第２の地域社会の前記還元原資金額から前記第１の地域社会の前記還元原資金額へと振り替える、管理サーバ装置。
【請求項２】
請求項１に記載の管理サーバ装置であって、
前記換金レート表示指示部は、前記ユーザ端末装置を操作する利用者の前記利用者別評価ポイントおよび前記還元ポイントの少なくとも一方の表示とともに前記換金レートの表示を当該ユーザ端末装置に指示する、管理サーバ装置。
【請求項３】
請求項１または請求項２に記載の管理サーバ装置であって、
前記換金レート表示指示部は、前記総還元ポイントおよび前記還元原資金額の少なくとも一方が変更された場合、前記ユーザ端末装置に表示されている前記換金レートの更新を前記ユーザ端末装置に指示する、管理サーバ装置。
【請求項４】
請求項１から請求項３までのいずれか一項に記載の管理サーバ装置であって、
前記還元ポイント算出部は、前記利用者別評価ポイントに対して、前記利用者別評価ポイントとは異なる他の評価ポイントを加算するとともに、前記還元原資と既に換金されている消費ポイントを減算することによって、前記還元ポイントを算出する、管理サーバ装置。
【請求項５】
請求項１から請求項４までのいずれか一項に記載の管理サーバ装置であって、
前記換金レート算出部は、前記換金レートの上限値である上限レートを設定し、前記還元原資金額を前記総還元ポイントで除算した値が前記上限レートを超える場合、前記上限レートを前記換金レートとして算出する、管理サーバ装置。
【手続補正２】
【補正対象書類名】明細書
【補正対象項目名】０００９
【補正方法】変更
【補正の内容】
【０００９】
（３）上記形態の管理サーバ装置において、前記換金レート表示指示部は、前記総還元ポイントおよび前記還元原資金額の少なくとも一方が変更された場合、前記ユーザ端末装置に表示されている前記換金レートの更新を前記ユーザ端末装置に指示してもよい。この形態の管理サーバ装置によれば、換金レートの変動を利用者に把握させることができる。